(57)【要約】
【課題】放熱効率を更に高めることが可能な箱型放熱器と柱形放熱器の結合構造を提供することを課題とする。
【解決手段】柱形真空放熱器２０と箱型真空放熱器２２により構成する。箱型真空放熱器の上面に開口部２３を設ける。柱形真空放熱器２０の上端部に真空密封構造２１を設け、もう一端は箱型真空放熱器２２の開口部２３と結合し、その内部空間はお互いに通じる構造にする。柱型真空放熱器外周には箱型真空放熱器上面平行な放熱フィンを多段に設けて放熱効果を向上することができる。
【選択図】図２
0003099859.tif 000002
【実用新案登録請求の範囲】
【請求項１】
　中空の箱型真空放熱器と少なくとも１つの柱形真空放熱器により構成されており、
　該箱型真空放熱器は台座形態をしており、その上面には少なくとも１つの開口部が設けられており、
　該柱形真空放熱器は上述の箱型真空放熱器の開口部と結合しており、その内部空間は箱型真空放熱器の内部空間と通じており、
　上記構造により熱を箱型放熱器、及び柱形放熱器に伝え、放熱することができることを特徴とする箱型放熱器と柱形放熱器の結合構造。
【請求項２】
　柱形放熱器の上端に真空密封構造が設けられていることを特徴とする請求項１に記載の箱型放熱器と柱形放熱器の結合構造。
【請求項３】
　箱型放熱器の片方の側面に真空密封構造が設けられていることを特徴とする請求項１に記載の箱型放熱器と柱形放熱器の結合構造。
【請求項４】
　中空の箱型真空放熱器の底部下方に発熱体を接触させて使用することを特徴とする請求項１に記載の箱型放熱器と柱形放熱器の結合構造
【請求項５】
　直立する柱形真空放熱器の外周には複数の放熱フィンが設けられていることを特徴とする請求項１に記載の箱型放熱器と柱形放熱器の結合構造。
【請求項６】
　柱形放熱器は真空密封構造を具有する、内部を真空にすることが可能な柱形真空放熱器であることを特徴とする請求項１に記載の箱型放熱器と柱形放熱器の結合構造。
【請求項７】
　柱形放熱器はU型を呈することを特徴とする請求項１に記載の箱型放熱器と柱形放熱器の結合構造。
【請求項８】
　複数の柱形放熱器を含み、またその放熱器は比較的直径の小さいヒートパイプであることを特徴とする請求項１に記載の箱型放熱器と柱形放熱器の結合構造。
【請求項９】
　複数のヒートパイプの外周には中央孔を設ける放熱フィンが設けられていることを特徴とする請求項８に記載の箱型放熱器と柱形放熱器の結合構造。
【考案の詳細な説明】
【技術分野】
【０００１】
　本考案は箱型放熱器と柱形放熱器の結合構造に係り、特に台座形態をした中空の箱型真空放熱器（thermal chamber or vapor chamber）の上面に少なくとも１つの柱形真空放熱器（thermal tower or heat pipe）が結合されており、該箱型真空放熱器の内部空間と該柱形真空放熱器の内部空間はお互いに通じている放熱装置であり、
　コンピュータのCPU、投影機、LCDカラーモニター、テレビ、その他の発熱する電子製品上の使用に適する箱型放熱器と柱形放熱器の結合構造に関わる。
【背景技術】
【０００２】
コンピュータに関する技術の発展は極めて早く、CPU内においても益々多くの電気回路が集積され、消費されるエネルギーは増加し続けているため、放熱の問題は軽視できず、CPUの高速演算によって発生する熱によってCPUが損傷することを防ぐために、公知のCPU放熱装置においてはファンにより放熱を行うものが多いが、この方法の欠点は、消費電力が多い、体積が大きい、騒音が大きい、放熱速度が非常に遅い、振動が発生する、等の問題が多いという所で、そのため現在は空気抵抗のないヒートパイプを利用したものがあり、ヒートパイプ内を真空にした後、作動液を設けることにより、放熱速度を大幅に速めることが可能である。
【考案の開示】
【考案が解決しようとする課題】
【０００３】
公知のヒートパイプを使用した放熱装置の構造として、図1に示すように公知構造の柱形真空放熱器（thermal tower）１０の底部１１は放熱器底板１２と溶接されているため、発熱体との接触面積は増え、放熱効果は増すが、放熱速度はやはり限界があった。
そこで本考案は、上記欠点を解決すべく、放熱効率を更に高めることが可能な箱型放熱器と柱形放熱器の結合構造を提供することを課題とする。
【課題を解決するための手段】
【０００４】
　上記課題を解決するために、本考案の箱型放熱器と柱形放熱器の結合構造は、
真空の箱型放熱器と柱形放熱器を連結させることで放熱効率を高めるものである。
　本考案は、中空の箱型真空放熱器と少なくとも１つの柱形真空放熱器により構成されており、該箱型真空放熱器は台座形態をしており、その上面には少なくとも１つの開口部が設けられており、該柱形真空放熱器は上述の箱型真空放熱器の開口部上と結合しており、その内部空間は箱型真空放熱器の内部空間と通じており、更に柱形放熱器の外部には放熱フィンを設けることが可能である。
【考案の効果】
【０００５】
　一般の直立式柱形放熱器は真空処理後、その底部を板体と溶接することで、発熱体との接触面積を増やし放熱効率を高めていたが、その放熱効率は本考案の真空の箱型放熱器と柱形放熱器を結合させ、内部空間を通じさせたものと比べると低く、よって本考案の放熱効率は優れている。
【０００６】
　本考案は、柱形放熱器と箱型放熱器の内部空間がお互いに通じているため、真空密封構造を柱形放熱器の上部にでも、箱型放熱器の側部にでも、どちらにでも設けることができるため、作業上の利便性がある。
【０００７】
　本考案により、CPU、投影機、LCDカラーモニター、テレビ等の発熱製品の
発熱体からの熱は効率よく放熱され、それにより電子装置の寿命を延ばすことが可能である。
【考案を実施するための最良の形態】
【０００８】
　本考案の実施例を図に沿って説明する。
　本考案の第一実施例として、図２に示すように、直立式で中空の柱形真空放熱器（thermal tower or thermal column）２０と台座形態の箱型真空放熱器（thermal chamber or vapor chamber）２２により構成されており、箱型真空放熱器の上面には開口部２３が設けられている。
【０００９】
　上記中空の柱形真空放熱器２０の上端部には真空密封構造２１が設けられており、もう一端は上述の箱型真空放熱器２２の開口部２３と結合しており、その内部空間はお互いに通じている。
【００１０】
　それにより、図２に示すように、真空密封構造２１から真空処理された箱型真空放熱器２２の底部をCPU、投影機、LCDカラーモニター、テレビ、或いはその他の電子製品の発熱体と接触させることで、熱は箱型真空放熱器２２と柱形真空放熱器２０を伝わり、すばやく放熱される。
【００１１】
　本考案の第二実施例として、図３，４に示すように、直立式で中空の柱形真空放熱器２０と平面式の箱型真空放熱器２２と複数の放熱フィン２６により構成されている。
【００１２】
　上記直立式で中空の柱形真空放熱器２０の外周上には箱型真空放熱器２２と平行の複数の放熱フィン２６が設けられており、放熱の面積と効率を高める。
【００１３】
　本考案の第三実施例として、図５，６に示すように、中空の箱型真空放熱器２２と２本の柱形真空放熱器２８，３０と複数の放熱フィン２６により構成されており、該箱型真空放熱器２２は台座形態をしており、その上面には２つの開口部２３が設けられており、該２本の柱形真空放熱器２８，３０はそれぞれ上述の２つの開口部２３と結合しており、その内部空間は箱型真空放熱器の内部とお互いに通じており、該複数の放熱フィン２６は２本の柱形真空放熱器２８，３０の外周に設けられており、また該放熱フィン２６は箱型真空放熱器２２と平行である。
【００１４】
　実施時には真空密封構造２１を柱形真空放熱器２８，或いは３０上にでも、箱型真空放熱器２２上にでも、どちらにでも設けることが可能である。
【００１５】
　本考案の第四実施例として、図７，８に示すように、U型真空放熱器２９と複数の放熱フィン２６と箱型真空放熱器２２により構成されており、該U型真空放熱器２９は柱形真空放熱器を湾曲させて作られており、本実施例の真空密封構造２５は箱型真空放熱器２２の側面に設けられている。
【００１６】
　本考案の第五実施例として、図９に示すように、中空の箱型真空放熱器２２と４本の中空のヒートパイプと複数の放熱フィン２７により構成されており、該箱型真空放熱器２２は台座形態をしており、その上面の四隅には開口部が設けられており、該４本の中空のヒートパイプはそれぞれ上述の４つの開口部と結合しており、その内部空間は、箱型真空放熱器とお互いに通じており、複数の放熱フィン２７は上述の４本の中空のヒートパイプの外周に設けられており、該放熱フィン２７は箱型真空放熱器２２と平行であり、中央部分には中央孔２７１が設けられており、中央孔２７１は上下に貫通しており、それにより放熱効果を高める。
【００１７】
　上記の内容は本考案の実施例を示すもので、本考案の範囲を限定するものではない。
【図面の簡単な説明】
【００１８】
【図１】公知構造における直立式柱形中空放熱器（thermal tower）の下部に板体を連　　結した様子を示す一部断面を示す外観図である。
【図２】本考案の第一実施例における箱型真空放熱器と柱形真空放熱器の結合構造を示　　す一部断面を示す外観図である。
【図３】本考案の第二実施例における箱型真空放熱器と柱形真空放熱器の結合構造を示　　す一部断面を示す外観図である。
【図４】本考案の第二実施例における箱型真空放熱器と柱形真空放熱器（thermal colu　　mn）の結合構造の部品の組み合わせを示す図である。
【図５】本考案の第三実施例における箱型真空放熱器と２本の柱形真空放熱　　器（thermal tower or thermal column）の結合構造を示す立体外観図である。
【図６】本考案の第三実施例における箱型真空放熱器と２本の柱形真空放熱器の結合構　　造を示す断面図である。
【図７】本考案の第四の実施例における箱型真空放熱器とU型真空放熱器の結合構造を　　示す立体外観図である。
【図８】本考案の第四の実施例における箱型真空放熱器とU型真空放熱器の結合構造を　　示す断面図である。
【図９】本考案の第五の実施例における箱型真空放熱器と４本のヒートパイプの結合を　　示す立体外観図である。
【符号の説明】
【００１９】
　１０　　公知構造の柱形真空放熱器
　１１　　底部
　１２　　放熱底板
　２０　　柱形真空放熱器
　２１　　真空密封構造
　２２　　箱型真空放熱器
　２３　　箱型真空放熱器開口部
　２５　　真空密封構造
　２６　　放熱フィン
　２７　　放熱フィン
　２７１　中央孔
　２８　　柱形真空放熱器
　２９　　U型真空放熱器
　３０　　柱形真空放熱器
【図１】
0003099859.tif 000003
【図２】
0003099859.tif 000004
【図３】
0003099859.tif 000005
【図４】
0003099859.tif 000006
【図５】
0003099859.tif 000007
【図６】
0003099859.tif 000008
【図７】
0003099859.tif 000009
【図８】
0003099859.tif 000010
【図９】
0003099859.tif 000011